(57)【要約】  本発明は、フォワードトラフィックチャネルの負荷に従ってパイロットチャネルの電力を動的に割り当てるために方法に関し、この方法は、ＣＤＭＡフォワードリンクの容量を増加できる。本発明に従って、パイロットチャネルに割り当てられる電力は、固定されず、トラフィック負荷に基づいて動的に変化可能である。この方法は、第１のセルと第２のセルの負荷同士間の差を考慮してパイロットチャネルの電力を割り当てる。第１のセルの負荷が第２のセルよりも低い場合、第１のセルが拡大され、第２のセルの負荷の一部が第１のセルへ転送される。第１のセルの負荷が第２のセルの負荷よりも高い場合、第１のセルが縮小され、第１のセルの負荷の一部が第２のセルへ転送される。このように、ハンドオフにおける性能と容量が向上される。換言すれば、本発明に従って、パイロットチャネルの電力は、第１のセルと第２のセルの負荷同士間の差を考慮して、動的に割り当てられる。本発明は、ＣＤＭＡシステムにおける無線ネットワークの設計を最適化するためのテクノロジーの分野に適用されることができる。【選択図】図４
2007507152.tif 000002
【特許請求の範囲】
【請求項１】
フォワードトラフィックチャネルにおける負荷に従ってパイロットチャネルの電力を動的に割り当てるための方法であって、当該方法は、
各セクタのパイロットチャネルの現在の電力とトータルトラフィック電力を、基地局トランシーバサブシステム（ＢＴＳ）における基地局コントローラ（ＢＳＣ）へ報告するステップと；
前記ＢＴＳの各セクタについての近隣セットリストを参照するステップと；
前記近隣セットリストを参照することによってトラフィック負荷の報告に基づいて第１のセルの負荷を第２のセルの負荷と比較するステップと；
第１のセルの負荷が第２のセルの負荷よりも低い場合に、第１のセルを拡大して第２のセルの負荷の一部を第１のセルに転送するステップと；
第１のセルの負荷が第２のセルの負荷よりも高い場合に、第１のセルを縮小して第１のセルの負荷の一部を第２のセルに転送するステップと；
トラフィック負荷に基づいてパイロットチャネルの新たな電力を計算するステップと；
パイロットチャネルの新たな電力を計算した後に、パイロットチャネルの計算された電力を前記ＢＴＳに通報するステップと；
前記計算された電力を受信した前記ＢＴＳでは、前記計算された電力をパイロットチャネルの電力として設定するステップと、
を備える方法。
【請求項２】
第２のセルの負荷が前記近隣セットリスト中にＭ個の近隣セルを有する場合、第２のセルの負荷Ｌ２は、重み係数を使用して以下のように計算され、
【数１】
2007507152.tif 000006
ここで、Ｔｉは、ｉ番目の近隣セットのトータルトラフィック電力であり、Ｔｍａｘは、トータルトラフィック電力の最大値であり、Ｗｉは、ｉ番目の近隣セットの重み係数であり、ここで
【数２】
2007507152.tif 000007
である、
請求項１に記載の方法。
【請求項３】
第１のセルの負荷Ｌ１は、以下のように表され、
【数３】
2007507152.tif 000008
ここで、Ｔｉは、第１のセクタのトータルトラフィック電力である、
請求項１に記載の方法。
【請求項４】
パイロットチャネルに割り当てられる結果としての電力Ｐｐｉｌｏｔは、第１のセルと第２のセルの負荷を使用して以下の式によって決定され、
Ｐｐｉｌｏｔ＝Ｐｐ＿ｍｉｄ+０．５（Ｐｐ＿ｍａｘ−Ｐｐ＿ｍｉｎ）（Ｌ２−Ｌ１）
ここで、Ｐｐ＿ｍａｘは、パイロットチャネルの電力の最大値であり、Ｐｐ＿ｍｉｄは、その中間電力値であり、Ｐｐ＿ｍｉｎは、その最小値である、
請求項１に記載の方法。
【発明の詳細な説明】
【技術分野】
【０００１】
本発明は、一般的に、パイロットチャネルの電力を割り当てることに関し、より具体的に、第１のセルと第２のセルの負荷同士間の差を考慮してパイロットチャネルの電力を割り当てるための方法に関する。
【背景技術】
【０００２】
一般的に、ＣＤＭＡシステムにおけるフォワードチャネルは、オーバーヘッドチャネル（パイロット、ページング、同期）とトラフィックチャネルよりなる。フォワードチャネルのトータル電力の内、オーバーヘッドチャネルの電力は固定され、トラフィックチャネルの電力は、トラフィック負荷と電力制御によって可変である。
【０００３】
オーバーヘッドチャネルのパイロットチャネルへ割り当てられる電力は、一般的にフォワードリンク最大電力の１５〜２０％である。例えば、２０Ｗが、フォワードリンクの電力のために利用可能である場合、パイロットチャネルへ割り当てられる電力は略４Ｗ（これは、フォワードリンクのトータル電力の約２０％である）である。
【０００４】
上述のように、既存のＣＤＭＡシステムにおいて、パイロットチャネルに割り当てられる電力は、固定されている。従って、パイロットチャネルに割り当てられる電力が多すぎると、トラフィックチャネルに対する電力が減少すると共にフォワードリンクに対する容量もまた減少する。他方、パイロットチャネルに割り当てられる電力が十分ではない場合、パイロットチャネルの大きさに依存するフォワード適用範囲とハンドオフのためのフィールドが減少する。
【０００５】
更に、モバイル通信システムは、本質的にマルチセル構造である。従って、一つのセルの負荷が高すぎ、他方の負荷が低すぎる場合、パイロットチャネルに対する固定電力は、他方のチャネルに対して割り当てられることができない。そのため、ＣＤＭＡシステムの効率が向上され得ない。
【発明の開示】
【発明が解決しようとする課題】
【０００６】
本発明の目的は、パイロットチャネルの電力を動的に割り当てるための方法を提供することである。本発明の方法は、一方のセルと他方のセルの負荷に基づいてパイロットチャネルの電力を割り当てる。本発明に従って、第１のセルの負荷が、第２のセルの負荷よりも低い時、第１のセルは、拡大され、第２のセルの負荷の一部が第１のセルに転送される。第１のセルの負荷が、第２のセルの負荷よりも高い時、第１のセルが縮小され、第１のセルの負荷の一部が第２のセルへ転送される。これに関して、パイロットチャネルの電力がフォワードトラフィックチャネルの負荷に基づいて変化すると、ハンドオフにおける性能と容量が向上され得る。
【課題を解決するための手段】
【０００７】
上記目的を達成するために、本発明に従う方法は、以下のステップ、即ち、基地局トランシーバサブシステム（ＢＴＳ）における基地局コントローラ（ＢＳＣ）へ各セクタのパイロットチャネルの現在の電力とトータルトラフィック電力を報告するステップと；ＢＴＳの各セクタについての近隣セットリストを参照するステップと；トラフィック負荷の報告に基づいて前記リストを参照することによって第１のセルの負荷を第２のセルの負荷と比較するステップと；第１のセルの負荷が第２のセルの負荷よりも低い場合に、第１のセルを拡大して第２のセルの負荷の一部を第１のセルに転送するステップと；第１のセルの負荷が第２のセルの負荷よりも高い場合に、第１のセルを縮小して第１のセルの負荷の一部を第２のセルに転送するステップと；トラフィック負荷に基づいてパイロットチャネルの新たな電力を計算するステップと；パイロットチャネルの新たな電力を計算した後に、パイロットチャネルの計算された電力をＢＴＳに通報するステップと；計算された電力を受信したＢＴＳでは、計算された電力をパイロットチャネルの電力として設定するステップとを備える。
【０００８】
本発明の他の目的は、パイロットチャネルの電力を割り当てるための式を提供することである。パイロットチャネルへ割り当てられる結果としての電力は、第１のセルの負荷Ｌ１と第２のセルの負荷Ｌ２を使用して以下のように計算される。
【０００９】
パイロットチャネルに割り当てられる電力（Ｐｐｉｌｏｔ）＝Ｐｐ＿ｍｉｄ+０．５（Ｐｐ＿ｍａｘ−Ｐｐ＿ｍｉｎ）（Ｌ２−Ｌ１）
本発明の上述の目的と特徴は、添付の図面と共に提供される好適な実施の形態の以下の記述から一層明白になる。
【発明を実施するための最良の形態】
【００１０】
さて、“パイロットチャネルの電力を動的に割り当てるための方法”と題する本発明の好適な実施の形態を添付の図面を参照して記述する。
【００１１】
図１は、本発明に従うパイロットチャネルの電力を動的に割り当てるプロセスを示す。図１に示されるように、本発明に従うパイロットチャネルの電力を動的に割り当てるプロセスにおいて、各基地局トランシーバサブシステム（ＢＴＳ）１００は、最初に、各セクタに対してパイロットチャネルの現在の電力とトータルトラフィック電力を基地局コントローラ（ＢＳＣ）２００へ報告する（ステップ１）。現在の電力に対する報告を受信するＢＳＣ２００は、報告されたトラフィック負荷に基づいてパイロットチャネルの新たな電力を計算して、ＢＴＳの各セクタに対する近隣セットリストを参照してそれを各ＢＴＳ１００に通信する（ステップ２）。次に、ＢＴＳ１００は、ＢＳＣ２００から送られる新たな電力によってパイロットチャネルを送信し、ある期間経過後に初期ステップへ戻る。
【００１２】
図２と図３は、本発明に従ってトラフィック負荷に基づいてパイロットチャネルの電力を動的に割り当てるための方法を示す。図２は、パイロットチャネルの負荷に従ってパイロットチャネルの電力を増加することによってセルを拡大するための方法を示す。図３は、パイロットチャネルの負荷に従ってパイロットチャネルの電力を減少することによってセルを縮小するための方法を示す。
【００１３】
図２と図３において、本発明の方法は、第１のセルと第２のセルの負荷同士間の差を考慮してパイロットチャネルの電力を割り当てる。より具体的には、図２に示されるように、第１のセルの負荷が第２のセルの負荷と比較される。第１のセルの負荷が第２のセルの負荷よりも低い場合、第１のセルが拡大され、第２のセルの負荷の一部が第１のセルに転送される。第１のセルの負荷を第２のセルの負荷と比較する図３に示されるように、第２のセルの負荷が第１のセルの負荷よりも低い場合、第１のセルが縮小され、第１のセルの負荷の一部が第２のセルに転送される。
【００１４】
各セクタに対する割当てられた電力は、以下の式によって表される。最初に、第２のセルが、近隣セットリスト中にＭ個の近隣セルを有し、ｉ番目の近隣セットのトータルトラフィック電力がＴｉとされると、第２のセルの負荷が以下のように計算される。
【００１５】
【数４】
2007507152.tif 000003
【００１６】
ここでＬ２は第２のセルの負荷であり、Ｔｍａｘはトータルトラフィック電力の最大値であり、Ｗｉはｉ番目の近隣セットの重み係数であり、そこで
【００１７】
【数５】
2007507152.tif 000004
【００１８】
次に、第１のセルのトータルトラフィック電力Ｔ１は、以下のように表される。
【００１９】
【数６】
2007507152.tif 000005
【００２０】
次に、上記で計算された第１のセルと第２のセルの負荷を使用する時に、パイロットチャネルへ割り当てられる結果としての電力Ｐｐｉｌｏｔは、以下の式によって決定される。
【００２１】
Ｐｐｉｌｏｔ＝Ｐｐ＿ｍｉｄ+０．５（Ｐｐ＿ｍａｘ−Ｐｐ＿ｍｉｎ）（Ｌ２−Ｌ１）
ここで、Ｐｐ＿ｍｉｄは、パイロットチャネルの中間電力値であり、Ｐｐ＿ｍａｘは、その電力の最大値であり、Ｐｐ＿ｍｉｎは、その最小値である。
【００２２】
図４は、本発明に従ってフォワードトラフィックチャネルの負荷に基づいてパイロットチャネルの電力を動的に割り当てるための方法を示す。図４に示されるように、本発明の方法は、以下のステップ、即ち、ＢＴＳにおけるＢＳＣへ各セクタ毎のパイロットチャネルの現在の電力とトータルトラフィック電力を報告するステップ（ステップ１１）と；ＢＴＳの各セクタ毎についての近隣セットリストを参照するステップ（ステップ１２）と；前記リストを参照することによってトラフィック負荷の報告に基づいて第１のセルの負荷を第２のセルの負荷と比較するステップ（ステップ１３，１４及び１６）と；第１のセルの負荷が第２のセルの負荷よりも低い場合に、第１のセルを拡大して第２のセルの負荷の一部を第１のセルに転送するステップ（ステップ１５）と；第１のセルの負荷が第２のセルの負荷よりも高い場合に、第１のセルを縮小して第１のセルの負荷の一部を第２のセルに転送するステップ（ステップ１７）と；トラフィック負荷に基づいてパイロットチャネルの新たな電力を計算するステップ（ステップ１８）と；パイロットチャネルの新たな電力を計算した後に、パイロットチャネルの計算された電力をＢＴＳに通報するステップ（ステップ１９）と；新たに受信された電力によってパイロットチャネルを送信するステップ（ステップ２０）と；ある期間経過後に初期のステップへ戻るステップ（ステップ２１）と；を備える。
【００２３】
フォワードトラフィックチャネルにおける負荷に従ってパイロットチャネルの電力を動的に割り当てるための方法の特定の実施の形態が記述されたが、本発明は、本発明の範囲から逸脱することなく多くの変更例を有する。従って、本発明の範囲は、上記の実施の形態に制限されるべきではなく、添付の請求項とそれに等価なものによって定義される。
【産業上の利用可能性】
【００２４】
上述のように、フォワードトラフィックチャネルにおける負荷に従ってパイロットチャネルの電力を動的に割り当てるための方法が用いられる。第１のセルの負荷が第２のセルの負荷よりも低い場合、第１のセルが拡大され、第２のセルの負荷の一部が第１のセルに転送される。第２のセルの負荷が第１のセルの負荷よりも低い場合、第１のセルが縮小され、第１のセルの負荷の一部が第２のセルに転送される。従って、パイロット電力は、フォワードトラフィック負荷に基づいて変化し、それによって、ハンドオフにおける性能と容量が改善される。
【００２５】
更に、パイロット電力の動的割り当ては、トラフィック負荷に基づいてセル適用範囲を変化させ、トラフィック負荷を効率的に割り当てる。このようにして、フォワードリンクの容量が向上され得る。
【００２６】
加えて、パイロット電力の比率を適切に制御することによって、パイロット電力が過剰に高く固定された場合に生じる干渉が減少され得る。
【図面の簡単な説明】
【００２７】
【図１】本発明に従うパイロットチャネルの電力を動的に割り当てるプロセスを示す。
【図２】本発明に従うトラフィック負荷に基づいてパイロットチャネルの電力を動的に割り当てる方法を示す。
【図３】本発明に従うトラフィック負荷に基づいてパイロットチャネルの電力を動的に割り当てる方法を示す。
【図４】本発明に従うフォワードトラフィックチャネルの負荷に基づいてパイロットチャネルの電力を動的に割り当てる方法を示す。
【図１】
2007507152.tif 000009
【図２】
2007507152.tif 000010
【図３】
2007507152.tif 000011
【図４】
2007507152.tif 000012
【国際調査報告】
2007507152.tif 000013
2007507152.tif 000014